(57)【要約】【課題】カメラボディの能力に応じて交換レンズの機能を選択することで消費電力を低減できる交換レンズを提供する。【解決手段】カメラボディ５０が装着される装着接点１１と、カメラボディからカメラボディの固有情報を入力するＣＰＵ１８と、固有情報に応じて、少なくとも１つの所定の機能を動作させるか否かを選択する給電切替回路１２とを備える。【選択図】  図１
2008294546.tif 000002
【特許請求の範囲】
【請求項１】
カメラボディが装着される装着部と、
前記カメラボディから前記カメラボディの固有情報を入力する入力手段と、
前記固有情報に応じて、少なくとも１つの所定の機能を動作させるか否かを選択する選択手段と、を備えたことを特徴とする交換レンズ。
【請求項２】
前記所定の機能は複数の機能であり、
前記選択手段は、前記固有情報に応じて、前記複数の機能のそれぞれを動作させるか否かを選択することを特徴とする請求項１記載の交換レンズ。
【請求項３】
前記所定の機能は複数の機能であり、
前記選択手段は、前記固有情報に応じて、前記複数の機能の少なくとも１つの機能を非作動とすることを特徴とする請求項１記載の交換レンズ。
【請求項４】
前記固有情報は、前記カメラボディの給電能力であることを特徴とする請求項１〜３の何れかに記載の交換レンズ。
【請求項５】
前記固有情報は、前記カメラボディの撮像媒体の種類であることを特徴とする請求項１〜３の何れかに記載の交換レンズ。
【請求項６】
前記所定の機能は、前記カメラボディとの情報通信機能，オートフォーカス機能，手振れ補正機能および絞り駆動機能のうち少なくとも一つの機能であることを特徴とする請求項１〜５の何れかに記載の交換レンズ。
【請求項７】
前記選択手段は、前記固有情報より、前記カメラボディの給電能力が所定値より低いと判断したときは、少なくとも１つの前記所定の機能を非作動とすることを特徴とする請求項４記載の交換レンズ。
【請求項８】
前記選択手段は、前記固有情報より、前記カメラボディの撮像媒体が撮像素子であると判断したときは、少なくとも１つの前記所定の機能を動作させることを特徴とする請求項５記載の交換レンズ。
【請求項９】
カメラボディが装着される装着部と、
複数の動作周波数で動作可能な制御回路と、
前記カメラボディから前記カメラボディの固有情報を入力する入力手段と、
前記固有情報に応じて、前記動作周波数を選択する選択手段と、を備えたことを特徴とする交換レンズ。
【請求項１０】
前記制御回路は、前記入力手段の動作を制御し、
前記選択手段は、前記入力手段が前記固有情報を入力するときは、前記複数の動作周波数のうち相対的に低い第１の動作周波数を選択することを特徴とする請求項９記載の交換レンズ。
【請求項１１】
前記選択手段は、前記入力手段が前記固有情報を入力した後、前記固有情報に応じて、前記第１の動作周波数よりも高い第２の動作周波数を選択するか否かを判断することを特徴とする請求項１０記載の交換レンズ。
【請求項１２】
前記固有情報は、前記カメラボディの給電能力であることを特徴とする請求項９〜１１の何れかに記載の交換レンズ。
【請求項１３】
前記固有情報は、前記カメラボディの撮像媒体の種類であることを特徴とする請求項９〜１１の何れかに記載の交換レンズ。
【請求項１４】
前記固有情報は、前記カメラボディの給電能力であり、
前記選択手段は、前記固有情報より、前記カメラボディの給電能力が所定値より高いと判断したときは、前記第２の動作周波数を選択することを特徴とする請求項１１記載の交換レンズ。
【請求項１５】
前記固有情報は、前記カメラボディの撮像媒体の種類であり、
前記選択手段は、前記固有情報より、前記カメラボディの撮像媒体が撮像素子であると判断したときは、前記第２の動作周波数を選択することを特徴とする請求項１１記載の交換レンズ。
【請求項１６】
請求項１〜１５の何れかに記載の交換レンズと、
前記装着部を介して前記交換レンズに装着され、前記入力手段に対して前記固有情報を出力可能なカメラボディと、を備えたことを特徴とするカメラシステム。
【発明の詳細な説明】
【技術分野】
【０００１】
本発明は、カメラボディに装着される交換レンズおよびこの交換レンズを備えたカメラシステムに関するものである。
【背景技術】
【０００２】
一眼レフカメラシステムは、カメラボディに対して交換レンズが脱着可能とされ、交換レンズ及びカメラボディのそれぞれに設けられた装着部を介して電気的接続を取り、これによりカメラボディから交換レンズに対して駆動電力を供給し、また両者間で制御信号の伝達を行う。
【０００３】
また、一眼レフカメラボディと交換レンズとの互換性を確保するため、給電能力や制御信号の伝達方式を規格化したり、交換レンズの仕様に応じて最適な通信方式を選択したりすることが提案されている（特許文献１参照）。
【０００４】
ところで、近年の一眼レフカメラシステムの交換レンズは、ユーザーニーズに対応して多機能化しつつある。たとえば、カメラボディとの情報通信機能、オートフォーカス機能、手振れ補正機能または絞り駆動機能などがカメラシステムの仕様に応じて交換レンズに付加されている。
【０００５】
しかしながら、交換レンズが多機能化するとそれだけ消費電力も増加するので、給電能力が充分でないカメラボディに多機能の交換レンズを装着すると、動作時間が短くなるといった問題があった。
【０００６】
【特許文献１】特開２００１−３５０１９０号公報
【発明の開示】
【発明が解決しようとする課題】
【０００７】
本発明が解決しようとする課題は、カメラボディの能力に応じて交換レンズの機能を選択することで消費電力を低減できる交換レンズを提供することである。
【課題を解決するための手段】
【０００８】
本発明は、以下の解決手段によって上記課題を解決する。なお、本発明の実施形態を示す図面に対応する符号を付して説明するが、この符号は本発明の理解を容易にするためだけのものであって本発明を限定する趣旨ではない。
【０００９】
［１］  本発明の第１の観点による交換レンズ（１０）は、カメラボディ（５０）が装着される装着部（１１）と、カメラボディからカメラボディの固有情報を入力する入力手段（１８）と、固有情報に応じて、少なくとも１つの所定の機能を動作させるか否かを選択する選択手段（１２）とを備えたことを特徴とする。
【００１０】
また、本発明の第２の観点による交換レンズ（１０）は、カメラボディ（５０）が装着される装着部（１１）と、複数の動作周波数で動作可能な制御回路（１８）と、カメラボディからカメラボディの固有情報を入力する入力手段（１８）と、固有情報に応じて、動作周波数を選択する選択手段（１８）とを備えたことを特徴とする。
【００１１】
上記第１及び第２の観点による発明における固有情報は、たとえばカメラボディの給電能力、カメラボディの撮像媒体の種類である。
【００１２】
また、上記第１及び第２の観点による発明における所定の機能は、たとえばカメラボディとの情報通信機能，オートフォーカス機能，手振れ補正機能および絞り駆動機能のうち少なくとも一つの機能である。
【００１３】
［２］  上記第１の観点による発明の一形態として、所定の機能が複数あり、選択手段は、固有情報に応じて複数の機能のそれぞれを動作させるか否かを選択したり、固有情報に応じて複数の機能の少なくとも１つの機能を非作動としたりする。
【００１４】
また、上記第１の観点による発明の一形態として、選択手段は、固有情報より、カメラボディの給電能力が所定値より低いと判断したときは、少なくとも１つの所定の機能を非作動としたり、固有情報より、カメラボディの撮像媒体が撮像素子であると判断したときは、少なくとも１つの所定の機能を動作させたりする。
【００１５】
［３］  上記第２の観点による発明の一形態として、制御回路は、入力手段の動作を制御し、選択手段は、入力手段が固有情報を入力するときは、複数の動作周波数のうち相対的に低い第１の動作周波数を選択する。また、選択手段は、入力手段が固有情報を入力した後、固有情報に応じて、第１の動作周波数よりも高い第２の動作周波数を選択するか否かを判断する。
【００１６】
また、上記第２の観点による発明の一形態として、固有情報がカメラボディの給電能力である場合において、選択手段は、固有情報より、カメラボディの給電能力が所定値より高いと判断したときは、第２の動作周波数を選択する。
【００１７】
また、固有情報がカメラボディの撮像媒体の種類である場合において、選択手段は、固有情報より、カメラボディの撮像媒体が撮像素子であると判断したときは、第２の動作周波数を選択する。
【００１８】
［４］  上記本発明に係る交換レンズは、装着部を介して当該交換レンズに装着され、入力手段に対して固有情報を出力可能なカメラボディを備えたカメラシステムに適用して好ましいものである。
【発明の効果】
【００１９】
本発明によれば、カメラボディの固有情報に応じて交換レンズの機能または動作周波数が選択されるので、消費電力を低減することができる。
【発明を実施するための最良の形態】
【００２０】
以下、本発明の実施形態を図面に基づいて説明する。
【００２１】
図１は、本発明の実施形態に係る交換レンズ及びカメラボディからなるカメラシステムの主要部の電気的構成を示すブロック図である。
【００２２】
同図に示すカメラシステム１は、交換レンズ１０とカメラボディ５０を有し、これら交換レンズ１０とカメラボディ５０との間の電気的接続は、それぞれに設けられた装着部１１，５１の装着接点１１ａ〜１１ｇ，５１ａ〜５１ｇを接続することにより行われる。
【００２３】
カメラボディ５０には、一次電池、二次電池または太陽電池などの電池５２が設けられ、その負極端子は、カメラボディ５０の筐体５３に接地され、装着接点５１ｇ，１１ｇを介して交換レンズ１０の筐体１３に接続される。また電池５２の負極端子は、装着接点５１ｆ，１１ｆを介して交換レンズ１０の回路接地１４に接続される。
【００２４】
一方、電池５２の正極端子は、ＣＰＵ５６により制御される給電スイッチ５４に接続され、装着接点５１ａ１１ａを介して交換レンズ１０のオートフォーカス用モータ１５、手振れ補正用モータ１６及び絞り駆動モータ１７の正極端子に接続されている。
【００２５】
また、電池５２の正極端子は、カメラボディ５０に設けられＣＰＵ５６により制御される電源回路５５に接続され、装着接点５１ｂ，１１ｂを介して交換レンズ１０のＣＰＵ１８及び給電切替回路１２に接続されている。
【００２６】
なお、カメラボディ５０に設けられたＣＰＵ５６とジャイロスコープ（角速度検出部）５７は、電池５２の正極端子と電源回路５５の出力端子に接続された２つのダイオード５８ａ，５８ｂによって、何れか高い方の電圧が印加される。したがって、カメラボディ５０のＣＰＵ５６は電池５２を装着すれば起動することになる。
【００２７】
また、ジャイロスコープ５７も電池５２を装着すればスリープモードで動作することになり、さらにカメラボディ５０に設けられた図示しないシャッターボタンを半押しすると、ＣＰＵ５６からウェークアップ信号ＷＫＰが入力されてスリープモードから通常動作モードに切り替わり、角速度を検出してこれをＣＰＵ５６に送出する。なお、ジャイロスコープ５７にて検出された角速度はＣＰＵ５６及びＣＰＵ１８にて処理されて手振れ補正回路２０における手振れ補正に用いられる。
【００２８】
カメラボディ５０のＣＰＵ５６には、カメラボディ５０に設けられた外部スイッチ群５９からの信号が入力される。この外部スイッチ群５９には、シャッターボタン、モード設定スイッチ、コマンドダイアル、フィルム巻き戻しスイッチなどの各種スイッチが含まれる。
【００２９】
一方、交換レンズ１０にはＣＰＵ１８が設けられ、当該交換レンズ１０に設けられた外部スイッチ２２からの信号が入力される。この外部スイッチ２２には、オートフォーカス、手振れ及び絞りそれぞれの自動モードと手動モードとの切替スイッチなどが含まれる。
【００３０】
ＣＰＵ１８にはクロック発振回路が内蔵され、情報処理量に応じてクロック周波数を１０ＭＨｚ，２０ＭＨｚ，３０ＭＨｚ，４０ＭＨｚに切り替えられるようになっている。この動作周波数の切り替えは、後述するようにカメラボディ５０の給電能力に応じてＣＰＵ１８が切り替える。
【００３１】
また、交換レンズ１０のＣＰＵ１８とカメラボディ５０のＣＰＵ５６は、装着接点１１ｃ〜１１ｅ，５１ｃ〜５１ｅを介して互いの情報を交換する。本例では、装着接点１１ｃ，５１ｃを介して、交換レンズ１０が装着されているか否かをカメラボディ５０で判断するための情報を送受信したり、カメラボディ５０からの信号に対して交換レンズ１０から待機信号を出力したりする（以下、このラインをハンドシェイクラインとも言う）。また、装着接点１１ｄ，５１ｄを介して、カメラボディ５０が保有する各種の情報と交換レンズ１０が保有する各種の情報とを互いに送受信する。なお、装着接点１１ｅ，５１ｅを介して、カメラボディ５０のＣＰＵ５６から交換レンズ１０のＣＰＵ１８へ、クロック同期をとるためのクロック信号が送信される。
【００３２】
本例の交換レンズ１０には、給電切替回路１２が設けられている。この給電切替回路１２はＣＰＵ１８によって制御され、カメラボディ５０の電源回路５５から給電された電力をオートフォーカス制御回路１９、手振れ補正制御回路２０、絞り駆動制御回路２１のそれぞれへ給電するか否かをＣＰＵ１８からの指令信号に基づいて切り替える。この切替制御については後述する。
【００３３】
オートフォーカス制御回路１９は、給電切替回路１２からの給電によって動作するとともにＣＰＵ１８からの指令に基づいてオートフォーカス用モータ１５に動作指令信号を送出する。
【００３４】
手振れ補正制御回路２０は、給電切替回路１２からの給電によって動作するとともにＣＰＵ１８からの指令に基づいて手振れ補正用モータ１６に動作指令信号を送出する。
【００３５】
絞り駆動制御回路２１は、給電切替回路１２からの給電によって動作するとともにＣＰＵ１８からの指令に基づいて絞り駆動用モータ１７に動作指令信号を送出する。
【００３６】
なお、オートフォーカス用モータ１５、手振れ補正用モータ１６及び絞り駆動用モータ１７は、それぞれオートフォーカス制御回路１９、手振れ補正制御回路２０、絞り駆動制御回路２１からの動作指令信号が入力されると内部スイッチがＯＮするものであり、動作指令信号が入力ない限り動作せず、電力を消費しない。
【００３７】
次に、本例のカメラシステム１の動作の概要を説明する。
【００３８】
カメラボディ５０に電池５２を装着すると、既述したようにＣＰＵ５６は起動可能となり、またジャイロスコープ５７もスリープモードで動作可能となる。この状態からカメラボディ５０の外部スイッチ５９の一つであるシャッターボタンを半押しすると、ＣＰＵ５６は電源回路５５をＯＮ制御し、これにより装着接点１１ｂ，５１ｂを介してＣＰＵ１８に電源回路５５からの電力が供給され、ＣＰＵ１８が動作可能状態となる。これと同時に、ＣＰＵ５６からジャイロスコープ５７にウェークアップ信号ＷＫＰが送出され、ジャイロスコープ５７がスリープモードから通常動作状態へ切り替わる。
【００３９】
交換レンズ１０の外部スイッチ２２のうち、たとえばオートフォーカス機能、手振れ補正機能及び絞り駆動機能が自動モードに入力されているとすると、ＣＰＵ５６とＣＰＵ１８との間で情報の通信を実行する。そして、ＣＰＵ５６は給電スイッチ５４をＯＮ状態に切り替えるとともに、ＣＰＵ１８は給電切替回路１２に制御信号を送出して、オートフォーカス制御回路１９、手振れ補正制御回路２０及び絞り駆動制御回路２１のそれぞれに対して電源回路５５からの電力を供給する。
【００４０】
給電スイッチ５４のＯＮによってオートフォーカス用モータ１５、手振れ補正用モータ１６及び絞り駆動用モータ１７には電池５２からの電圧が印加されるので、動作可能状態となる。また、オートフォーカス制御回路１９、手振れ補正制御回路２０及び絞り駆動制御回路２１のそれぞれに対しても電源回路５５からの電力が供給されるので動作可能状態となる。
【００４１】
そして、オートフォーカス機能については、シャッターボタンの半押し状態で検出された実際の焦点状態に基づいて、所定のオートフォーカス方式に従い、ＣＰＵ５６またはＣＰＵ１８で最適焦点を演算し、オートフォーカス制御回路１９を介してこの演算結果をオートフォーカス用モータ１５へ送出し、図示しないフォーカスレンズ系を機械的に駆動する。
【００４２】
また、手振れ補正機能については、ジャイロスコープ５５で検出した角速度を用いて、所定の手振れ補正方式に従い、手振れ補正量をＣＰＵ５６またはＣＰＵ１８で演算し、手振れ補正制御回路２０を介してこの演算結果を手振れ補正用モータ１６へ送出し、図示しない手振れ補正レンズを機械的に駆動する。
【００４３】
また、絞り駆動機能については、図示しない光量センサで検出された光量に基づいて、所定の絞り方式に従い、ＣＰＵ５６またはＣＰＵ１８で最適絞り量を演算し、絞り駆動制御回路２１を介してこの演算結果を絞り駆動用モータ１７へ送出して、図示しない絞り機構を機械的に駆動する。
【００４４】
以上が、本発明の実施形態に係るカメラシステム１の構成及び動作の概要であるが、次に交換レンズ１０の機能レベルとカメラボディ５０の給電能力の仕様が異なるカメラシステム１を例に挙げて本実施形態を説明する。
【００４５】
図２は本発明の実施形態に係る交換レンズ及びカメラボディの仕様例を示す図であり、左側に本例の交換レンズＸを示し、右側に３種類のカメラボディＡ，Ｂ，Ｃを示す。
【００４６】
ここで、交換レンズ１０の機能レベル（レベル１〜３）とは、その交換レンズが、情報通信機能、オートフォーカス機能、手振れ補正機能、絞り駆動機能という機能を具備するレベルをいい、以下に示す例では、レベル１機能とは情報通信機能のみを具備する交換レンズ、レベル２機能とは情報通信機能とオートフォーカス機能の２つの機能を具備する交換レンズ、レベル３機能とは情報通信機能、オートフォーカス機能及び手振れ補正機能の３つの機能を具備する交換レンズをいうものとする。
【００４７】
なお、図１にて説明した交換レンズ１０は、ＣＰＵ１８，５６による情報通信機能、オートフォーカス機能及び手振れ補正機能に加えて絞り駆動機能をも具備しているが、このような４つ以上の機能を有する交換レンズへの応用例は、以下に説明する３つの機能を有する交換レンズＸにより容易に理解できることから、ここでは３つの機能を有する交換レンズＸを例に挙げて本実施形態を説明することとする。ただし、本実施形態が適用できる交換レンズの機能は、情報通信機能、オートフォーカス機能、手振れ補正機能、絞り駆動機能という４つの機能にのみ限定されるものではなく、他の機能を含んでも良い。また、これらの機能のうち何れの機能を組み合わせても良い。
【００４８】
まず、同図の左上に示す交換レンズＸは、交換レンズとしての消費電流が７０ｍＡであり、レベル１，２，３機能に対応できるものである。すなわち、図１に示す交換レンズ１０のうち、絞り駆動用モータ１７および絞り駆動制御回路２１が無い構成のものであって、ＣＰＵ１８のクロック発振回路のクロック周波数が１０ＭＨｚ，２０ＭＨｚ，３０ＭＨｚの３周波数に切り替え可能とされている。そして、情報通信機能、オートフォーカス機能及び手振れ補正機能の３つの機能を有し、３つの機能を同時に使用する場合は勿論、情報通信機能のみを使用するレベル１機能や情報通信機能とオートフォーカス機能を使用し手振れ補正機能は使用しないレベル２機能にも対応できる交換レンズである。なお、消費電流は３つの機能すべてを使用したときの最大消費電流を表すものとする。
【００４９】
一方、同図の右上に示すカメラボディＡは、電池５２による最大給電能力が７０ｍＡであり、レベル１，２，３機能に対応できるものである。すなわち、情報通信機能、オートフォーカス機能及び手振れ補正機能の３つの機能を有し、３つの機能を同時に使用する場合は勿論、情報通信機能のみを使用するレベル１機能や情報通信機能とオートフォーカス機能を使用し手振れ補正機能は使用しないレベル２機能にも対応できるカメラボディである。
【００５０】
同図の右中央に示すカメラボディＢは、電池５２による最大給電能力が３５ｍＡであり、レベル１，２機能に対応できるものである。すなわち、情報通信機能及びオートフォーカス機能の２つの機能を有し、２つの機能を同時に使用する場合は勿論、情報通信機能のみを使用するレベル１機能にも対応できるカメラボディである。ただし、手振れ補正機能は具備せず、図１においてジャイロスコープ５７等は設けられていないカメラボディである。
【００５１】
同図の右下に示すカメラボディＣは、電池５２による最大給電能力が２５ｍＡであり、レベル１機能にのみ対応できるものである。すなわち、情報通信機能のみを有し、オートフォーカス機能や手振れ補正機能は具備せず、図１においてジャイロスコープ５７等は設けられていないカメラボディである。
【００５２】
以上のとおり本例の交換レンズＸと、３種類のカメラボディＡ，Ｂ，Ｃが存在する場合、任意のカメラボディに本例の交換レンズを装着したとき、交換レンズ１０のＣＰＵ１８においては、図３に示す処理が実行される。
【００５３】
図３は本発明の実施形態に係る交換レンズのＣＰＵにおける情報処理手順を示すフローチャート、図４は本発明の実施形態に係るカメラシステムの動作例を示す図である。
【００５４】
まず、カメラボディＡ〜Ｃの何れかに本例の交換レンズＸを装着する。これにより、装着接点１１，５１が電気的に接続され、ＣＰＵ５６とＣＰＵ１８が情報通信可能となるので、装着接点１１ｃ，５１ｃのハンドシェイクラインによる情報通信で交換カメラの装着を確認したら、装着接点１１ｄ，５１ｄのデータラインを用いて、カメラボディ５０のＣＰＵ５６から給電能力およびレベル機能に関する固有情報を交換レンズ１０のＣＰＵ１８へ取り込む（ステップＳＴ１）。これは単純な情報通信であることから、ＣＰＵ１８のクロック発振回路における駆動周波数は、消費電力が最も小さい１０ＭＨｚとする。
【００５５】
このカメラボディ５０の固有情報の取得は、上述したデータラインを用いてカメラボディ５０のＣＰＵ５６が出力するコマンドレベルを検出する方法以外にも、カメラボディ５０に装着された電源回路５５の電圧値を検出しても良い。
【００５６】
ＣＰＵ１８は、カメラボディ５０の固有情報を取得したら、その固有情報に基づいてカメラボディ５０が対応できる給電能力およびレベル機能を判断する（ステップＳＴ２〜ＳＴ７）。すなわち、まずレベル１機能に対応しているかどうかを判断し（ステップＳＴ２）、レベル１機能に対応している場合はレベル２機能に対応しているかどうかを判断し（ステップＳＴ３）、レベル２機能にも対応している場合はレベル３機能に対応しているかどうかを判断する（ステップ５）。そして、ステップＳＴ２において、レベル１機能に対応していない場合は何らかのエラーを出力して処理を終了する。
【００５７】
また、ＣＰＵ１８は、ステップＳＴ３において、レベル２機能に対応していない場合は、そのカメラボディ５０は図２に示すカメラボディＣであると判断できるので、ステップＳＴ４に進み、図４の下図に示すように、交換レンズ１０のＣＰＵ１８はクロック発振回路における駆動周波数をそのままの１０ＭＨｚとし、またＣＰＵ１８から給電切替回路１２へ指令を送出して電源回路５５からの電力を、オートフォーカス制御回路１９、手振れ補正制御回路２０の何れにも供給しないこととする。
【００５８】
すなわち、ＣＰＵ１８とＣＰＵ５６との情報通信機能のみを実行することとし、交換レンズ１０が有するオートフォーカス機能と手振れ補正機能は使用しないものとする。カメラボディＣはオートフォーカス機能や手振れ補正機能に対応していないのでオートフォーカス制御回路１９や手振れ補正制御回路２０に電力を供給しても作動しないし、また複雑な演算も必要ないのでＣＰＵ１８を２０ＭＨｚや３０ＭＨｚといった高周波数で駆動する必要もない。
【００５９】
したがって、対応していない機能があるカメラボディＣを装着した場合には、不要な機能は非作動とするとともにＣＰＵ１８の駆動周波数も低周波数とすることで、電池５２の消費電力を抑制することができ、給電能力が小さいカメラボディＣにも好適に使用することができる。
【００６０】
また、ＣＰＵ１８は、ステップＳＴ５において、レベル３機能に対応していない場合は、そのカメラボディ５０は図２に示すカメラボディＢであると判断できるので、ステップＳＴ７に進み、図４の中央に示すように、交換レンズ１０のＣＰＵ１８はクロック発振回路における駆動周波数をそれまでの１０ＭＨｚから２０ＭＨｚに切り替え、またＣＰＵ１８から給電切替回路１２へ指令を送出して電源回路５５からの電力をオートフォーカス制御回路１９には供給するが、手振れ補正制御回路２０には供給しないこととする。
【００６１】
すなわち、ＣＰＵ１８とＣＰＵ５６との情報通信機能とオートフォーカス機能の２つの機能を実行することとし、交換レンズ１０が有する手振れ補正機能は使用しないものとする。カメラボディＢは情報通信機能やオードフォーカス機能には対応するが手振れ補正機能に対応していないので、手振れ補正制御回路２０に電力を供給しても作動しないし、またさほど複雑な演算も必要ないのでＣＰＵ１８を３０ＭＨｚといった高周波数で駆動する必要もない。ただし、オートフォーカス機能は作動するので駆動周波数は２０ＭＨｚに切り替える。
【００６２】
この場合も、対応していない機能があるカメラボディＣを装着した場合には、不要な機能は非作動とするとともにＣＰＵ１８の駆動周波数も低周波数とすることで、電池５２の消費電力を抑制することができ、給電能力が小さいカメラボディＢにも好適に使用することができる。
【００６３】
ＣＰＵ１８は、ステップＳＴ５において、レベル３機能に対応している場合は、そのカメラボディ５０は図２に示すカメラボディＡであると判断できるので、ステップＳＴ６に進み、図４の上に示すように、交換レンズ１０のＣＰＵ１８はクロック発振回路における駆動周波数をそれまでの１０ＭＨｚから３０ＭＨｚに切り替え、またＣＰＵ１８から給電切替回路１２へ指令を送出して電源回路５５からの電力をオートフォーカス制御回路１９および手振れ補正制御回路２０の何れにも供給することとする。
【００６４】
カメラボディＡはレベル３機能に対応し、また充分な給電能力を有するので、交換レンズ１０に応じた多機能のカメラシステムを提供することができる。
【００６５】
図５は、本発明の他の実施形態に係るカメラシステムの動作例を示す図、図６は本実施形態に係る交換レンズのＣＰＵにおける情報処理手順を示すフローチャートである。
【００６６】
本例の交換レンズＹは、交換レンズとしての最大消費電流が３５ｍＡであり、レベル１，２機能に対応できるものである。すなわち、図１に示す交換レンズ１０のうち、手振れ補正用モータ１６、手振れ補正制御回路２０、絞り駆動用モータ１７および絞り駆動制御回路２１を具備しない構成の交換レンズであって、ＣＰＵ１８のクロック発振回路のクロック周波数が１０ＭＨｚ，２０ＭＨｚの２周波数に切り替え可能とされている。そして、情報通信機能及びオートフォーカス機能の２つの機能を有し、２つの機能を同時に使用する場合は勿論、情報通信機能のみを使用するレベル１機能にも対応できる交換レンズである。
【００６７】
この交換レンズＹを同図に示す３種類のカメラボディＡ，Ｂ，Ｃに装着して用いる場合、交換レンズのＣＰＵ１８における処理手順は、図６に示すように図３のフローチャートのうちステップＳＴ５〜ＳＴ７が相違する。
【００６８】
すなわち、図６のステップＳＴ１１〜ＳＴ１４までのステップは図３のステップＳＴ１〜ＳＴ４と同じ処理であり、これらのステップによりカメラボディがＣであると判断したときは、交換レンズ１０のＣＰＵ１８はクロック発振回路における駆動周波数をそのままの１０ＭＨｚとし、またＣＰＵ１８から給電切替回路１２へ指令を送出して電源回路５５からの電力を、オートフォーカス制御回路１９に供給しないこととする。
【００６９】
すなわち、図５の下に示すように、ＣＰＵ１８とＣＰＵ５６との情報通信機能のみを実行することとし、交換レンズ１０が有するオートフォーカス機能は使用しないものとする。カメラボディＣはオートフォーカス機能に対応していないのでオートフォーカス制御回路１９に電力を供給しても作動しないし、また複雑な演算も必要ないのでＣＰＵ１８を２０ＭＨｚといった高周波数で駆動する必要もない。
【００７０】
したがって、対応していない機能があるカメラボディＣを装着した場合には、不要な機能は非作動とするとともにＣＰＵ１８の駆動周波数も低周波数とすることで、電池５２の消費電力を抑制することができ、給電能力が小さいカメラボディＣにも好適に使用することができる。
【００７１】
また、図６のステップＳＴ１３にてカメラボディがレベル２機能に対応していると判断されたときはステップＳＴ１５へ進み、カメラボディが図５の上及び中央に示すようにカメラボディＡである場合もカメラボディＢである場合も、交換レンズ１０のＣＰＵ１８はクロック発振回路における駆動周波数をそれまでの１０ＭＨｚから２０ＭＨｚに切り替え、またＣＰＵ１８から給電切替回路１２へ指令を送出して電源回路５５からの電力をオートフォーカス制御回路１９に供給する。
【００７２】
このように交換レンズ１０の機能が２つの場合にもカメラボディ５０の仕様に応じて消費電力を抑制した適切な駆動状況を実現することができる。
【００７３】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００７４】
たとえば、上述した実施形態では、カメラボディ５０から固有情報として給電能力や各種機能への対応可否を例に挙げたが、この種の固有情報以外にも、たとえば撮像媒体の種類が銀塩フィルムであるかＣＣＤなどの撮像素子であるかの情報であっても良い。この場合、たとえば撮像媒体が撮像素子であるときは、交換カメラが有する機能を複数作動させたり、ＣＰＵ１８の駆動周波数を相対的に高い周波数に切り替えたりすることが望ましい。
【図面の簡単な説明】
【００７５】
【図１】本発明の実施形態に係る交換レンズ及びカメラボディからなるカメラシステムの主要部の電気的構成を示すブロック図である。
【図２】本発明の実施形態に係る交換レンズ及びカメラボディの仕様例を示す図である。
【図３】本発明の実施形態に係る交換レンズのＣＰＵにおける情報処理手順を示すフローチャートである。
【図４】本発明の実施形態に係るカメラシステムの動作例を示す図である。
【図５】本発明の他の実施形態に係るカメラシステムの動作例を示す図である。
【図６】図５に示す本発明の他の実施形態に係る交換レンズのＣＰＵにおける情報処理手順を示すフローチャートである。
【符号の説明】
【００７６】
１…カメラシステム；１０…交換レンズ；１１ａ〜１１ｇ…装着接点
１２…給電切替回路；１３…交換レンズ筐体（接地）
１４…交換レンズの回路接地；１５…オートフォーカス用モータ
１６…手振れ補正用モータ；１７…絞り駆動用モータ；１８…ＣＰＵ
１９…オートフォーカス制御回路；２０…手振れ補正制御回路
２１…絞り駆動制御回路；２２…外部スイッチ
５０…カメラボディ；５１ａ〜５１ｇ…装着接点；５２…電池
５３…カメラボディの筐体；５４…給電スイッチ；５５…電源回路
５６…ＣＰＵ；５７…ジャイロスコープ
５８ａ，５８ｂ…ダイオード；５９…外部スイッチ
【図１】
2008294546.tif 000003
【図２】
2008294546.tif 000004
【図３】
2008294546.tif 000005
【図４】
2008294546.tif 000006
【図５】
2008294546.tif 000007
【図６】
2008294546.tif 000008